(57)【要約】【課題】記録紙の大きさに応じて、プリンタ装置の大きさを変えることのできるプリンタ装置を提供する。【解決手段】プリントヘッドとプリンタ本体部とを有し、前記プリントヘッドにより記録紙に印字がなされるプリンタ装置において、プリンタ本体部は筐体部を有しており、前記記録紙は前記筐体部の内部に設置されるものであって、前記筐体部は、筐体上部と筐体下部とを有しており、前記筐体上部と前記筐体下部との接合位置を変えることにより、前記筐体部の大きさを変えることができることを特徴とするプリンタ装置を提供することにより上記課題を解決する。【選択図】  図２
2015077746.tif 000002
【特許請求の範囲】
【請求項１】
プリントヘッドとプリンタ本体部とを有し、前記プリントヘッドにより記録紙に印字がなされるプリンタ装置において、
プリンタ本体部は筐体部を有しており、前記記録紙は前記筐体部の内部に設置されるものであって、
前記筐体部は、筐体上部と筐体下部とを有しており、
前記筐体上部と前記筐体下部との接合位置を変えることにより、前記筐体部の大きさを変えることができることを特徴とするプリンタ装置。
【請求項２】
前記筐体上部及び前記筐体下部には、ともにネジ穴が設けられており、
前記筐体上部と前記筐体下部とは、ネジ穴においてネジ止めすることにより接合されているものであって、
前記筐体上部または前記筐体下部のうちのいずれか一方には、異なる高さ位置に複数のネジ穴が設けられており、
前記筐体上部におけるネジ穴と前記筐体上部におけるネジ穴とのネジによる接合位置を変えることにより、前記筐体部の大きさを変えることができることを特徴とする請求項１に記載のプリンタ装置。
【請求項３】
前記筐体上部または前記筐体下部のうちのいずれか一方には、異なる高さ位置に複数の開口部が設けられており、他方には、突起部が設けられており、
前記突起部が前記開口部に入り込むことにより、前記筐体上部と前記筐体下部とが接合されているものであって、
前記突起部が入り込む前記開口部の位置を変えることにより、前記筐体部の大きさを変えることができることを特徴とする請求項１に記載のプリンタ装置。
【請求項４】
前記筐体上部または前記筐体下部のうちのいずれか一方には、異なる高さ位置に複数の開口部が設けられており、他方には、凸部が設けられており、
前記凸部が前記開口部に入り込むことにより、前記筐体上部と前記筐体下部とが接合されているものであって、
前記凸部が入り込む前記開口部の位置を変えることにより、前記筐体部の大きさを変えることができることを特徴とする請求項１に記載のプリンタ装置。
【請求項５】
前記筐体上部または前記筐体下部のうちのいずれか一方には、異なる高さ位置に複数の凹部が設けられており、他方には、バネが設けられており、
前記バネの端部が前記凹部に入り込むことにより、前記筐体上部と前記筐体下部とが接合されているものであって、
前記バネの端部が入り込む前記凹部の位置を変えることにより、前記筐体部の大きさを変えることができることを特徴とする請求項１に記載のプリンタ装置。
【請求項６】
前記筐体上部または前記筐体下部のうちのいずれか一方には、内側に内側凸部が設けられており、他方には外側に外側凸部が設けられており、
前記内側凸部と前記外側凸部とが接触することにより、前記筐体上部と前記筐体下部とが接合されているものであって、
前記内側凸部または前記外側凸部のうちのいずれか一方、または、双方は異なる高さ位置に複数設けられているものであって、
前記内側凸部と前記外側凸部とが接触する位置を変えることにより、前記筐体部の大きさを変えることができることを特徴とする請求項１に記載のプリンタ装置。
【請求項７】
前記筐体上部及び前記筐体下部は、樹脂材料または金属材料により形成されていることを特徴とする請求項１から６のいずれかに記載のプリンタ装置。
【請求項８】
前記記録紙はロール状に巻かれた記録紙であることを特徴とする請求項１から７のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。このようなレシート等を発行するプリンタは、記録紙となる感熱紙を搬送しながらサーマルヘッド等により記録紙に印字等を行ない、所定の長さまで記録紙を搬送した後、カッターで所定の長さで記録紙を切断するものである。
【０００３】
このようなプリンタ装置においては、例えば、プリンタ本体部と、プリンタ本体部に回転可能な状態で支持された蓋部が設けられており、この蓋部を開くことによりプリンタ本体部に、ロール状に巻かれた記録紙を設置することができる。この場合、例えば、サーマルヘッド等は、プリンタ本体部に設置されており、プラテンローラは蓋部に設置されており、蓋部を閉じることにより、記録紙はサーマルヘッド等とプラテンローラに間に挟まれる。このようにサーマルヘッド等とプラテンローラに間に記録紙が挟まれた状態で、記録紙にサーマルヘッド等による印字がなされる。
【０００４】
このようなプリンタ装置に設けられているカッターは、可動刃と固定刃により記録紙を切断するものであり、可動刃と固定刃との間に記録紙が存在している状態において、可動刃が固定刃の設けられている側に移動することにより、記録紙を切断することができる。
【先行技術文献】
【特許文献】
【０００５】
【特許文献１】特開平１０−１３８５９０号公報
【特許文献２】特開２００９−１４３６９５号公報
【特許文献３】特開２０１１−２４５８７０号公報
【発明の概要】
【発明が解決しようとする課題】
【０００６】
ところで、サーマルヘッドが搭載されているプリンタ装置においては、一般的にロール状に巻かれた記録紙が用いられるが、このような記録紙には、様々なものが存在しており、例えば、径の異なるものが存在している。ここで、径の大きな記録紙を想定して、プリンタ装置を設計すれば、径の大きな記録紙も径の小さな記録紙も用いることができるが、プリンタ装置が大型化してしまう。
【０００７】
一般的には、サーマルヘッドが搭載されているプリンタ装置においては、小型化の要求が極めて高く、径の小さな記録紙しか使用しない場合や、径の小さな記録紙の使用頻度が高い場合、径の大きな記録紙を使用することのできる大型のプリンタ装置は、好ましくない。
【０００８】
また、径の小さな記録紙にのみ対応させた小型のプリンタ装置を製造することも可能であるが、径の大きな記録紙を使用したい場合等において対応することができないため、用途が制限されてしまう。
【０００９】
よって、径の大きな記録紙も径の小さな記録紙も使用可能なプリンタ装置であって、径の小さな記録紙を使用する際には、小型にすることのできるプリンタ装置が求められている。
【課題を解決するための手段】
【００１０】
本実施の形態の一観点によれば、プリントヘッドとプリンタ本体部とを有し、前記プリントヘッドにより記録紙に印字がなされるプリンタ装置において、プリンタ本体部は筐体部を有しており、前記記録紙は前記筐体部の内部に設置されるものであって、前記筐体部は、筐体上部と筐体下部とを有しており、前記筐体上部と前記筐体下部との接合位置を変えることにより、前記筐体部の大きさを変えることができることを特徴とする。
【発明の効果】
【００１１】
本発明によれば、記録紙の大きさに応じて、プリンタ装置の大きさを変えることができるため、径の小さな記録紙を使用する際には、小型にすることができる。
【図面の簡単な説明】
【００１２】
【図１】プリンタ装置の斜視図
【図２】第１の実施の形態におけるプリンタ装置の説明図（１）
【図３】第１の実施の形態におけるプリンタ装置の説明図（２）
【図４】プリンタメカ部の説明図
【図５】第２の実施の形態におけるプリンタ装置の説明図
【図６】第３の実施の形態におけるプリンタ装置の説明図
【図７】第４の実施の形態におけるプリンタ装置の説明図（１）
【図８】第４の実施の形態におけるプリンタ装置の説明図（２）
【図９】第５の実施の形態におけるプリンタ装置の説明図（１）
【図１０】第５の実施の形態におけるプリンタ装置の説明図（２）
【発明を実施するための形態】
【００１３】
本発明を実施するための形態について、以下に説明する。尚、同じ部材等については、同一の符号を付して説明を省略する。
【００１４】
〔第１の実施の形態〕
最初に、図１に基づきサーマルヘッドを用いたプリンタ装置について説明する。このプリンタ装置は、プリンタ本体部１０、蓋部２０、サーマルヘッド３０、プラテンローラ４０等を有している。
【００１５】
プリンタ本体部１０には、内部にロール状に巻かれた記録紙５０が設置することができるように、記録紙設置領域を有しており、制御基板１１、搬送用モータ１２、カッター駆動用モータ１３、レバー１４等を有しており、サーマルヘッド３０が設置されている。制御基板１１は、プリンタ装置の動作を制御するための回路基板であり、ＩＣやコネクタ等が設けられている。搬送用モータ１２は、記録紙５０を搬送するためのモータであり、カッター駆動用モータ１３は、記録紙５０を切断するカッターを駆動するためのモータである。尚、カッターは、固定刃と可動刃とを有しており、カッター駆動用モータ１３により可動刃を固定刃の設けられている側に移動させることにより、記録紙５０を切断することができる。
【００１６】
蓋部２０は、プリンタ本体部１０に開閉可能な状態で取り付けられている。具体的には、蓋部２０は、軸２１を中心に蓋部２０が回転することにより開閉することができるような状態で、プリンタ本体部１０に取り付けられている。蓋部２０には、プラテンローラ４０が設置されている。
【００１７】
サーマルヘッド３０は記録紙５０に印字するためのプリントヘッドであり、サーマルヘッド３０とプラテンローラ４０との間に記録紙５０が挟まれた状態で、サーマルヘッド３０により記録紙５０に印字がなされる。プリンタ装置においては、プリンタ本体部１０に接続されている蓋部２０を閉じることにより、サーマルヘッド３０とプラテンローラ４０とが接触、または、サーマルヘッド３０とプラテンローラ４０との間に、記録紙５０が挟まれる。
【００１８】
プリンタ本体部１０に設けられたレバー１４は、蓋部２０を開くために設けられているものであり、レバー１４を操作することにより、不図示のバネ等の復元力により、蓋部２０を開くことができる。
【００１９】
このプリンタ装置では、蓋部２０が開いている状態において、プリンタ本体部１０の内部の記録紙設置領域に記録紙５０を設置することができる。プリンタ本体部１０の内部に記録紙５０を設置した後は、蓋部２０を閉じ、記録紙５０がサーマルヘッド３０とプラテンローラ４０との間に挟まれた状態にすることにより、記録紙５０にサーマルヘッド３０による印字が可能な状態となる。
【００２０】
（プリンタ装置）
次に、第１の実施の形態におけるプリンタ装置について説明する。本実施の形態におけるプリンタ装置は、図２及び図３に示されるように、プリンタ本体部１０における大きさを変えることにより、記録紙５０が設置される部分の大きさを変えることができる。
【００２１】
図２は、径の大きな記録紙５０ａを設置した場合を示しており、図３は、径の小さな記録紙５０ｂを設置した場合を示している。尚、図２（ａ）は、本実施の形態におけるプリンタ装置において、径の大きな記録紙５０ａを設置した場合における一部が透過している左側面図であり、図２（ｂ）は正面図であり、図２（ｃ）は一部が透過している右側面図である。また、図３（ａ）は、本実施の形態におけるプリンタ装置において、径の小さな記録紙５０ｂを設置した場合における一部が透過している左側面図であり、図３（ｂ）は正面図であり、図３（ｃ）は一部が透過している右側面図である。
【００２２】
プリンタ本体部１０には、図４（ａ）に示されるプリンタメカ部６０が取り付けられており、サーマルヘッド３０は、プリンタメカ部６０に取り付けられている。尚、図４（ａ）は、蓋部２０が開いている状態において、プリンタ本体部１０に取り付けられているプリンタメカ部６０を示し、図４（ｂ）は蓋部２０が閉じられている状態を示している。
【００２３】
本実施の形態においては、図２及び図３に示されるように、プリンタ本体部１０における筐体部７０が、筐体上部７１と筐体下部７２とにより形成されている。筐体上部７１の上側にプリンタメカ部６０が設置されており、下側にはネジ穴７１ａが設けられている。また、筐体下部７２には、上側には上側のネジ穴７２ａと、下側には下側のネジ穴７２ｂが設けられている。尚、筐体上部７１及び筐体下部７２は、樹脂材料または金属材料により形成されている。
【００２４】
図２に示されるように、径の大きな記録紙５０ａを設置する場合には、筐体上部７１におけるネジ穴７１ａと筐体下部７２における上側のネジ穴７２ａの位置合せをした後、ネジ７３によりネジ止めすることにより、筐体上部７１と筐体下部７２とを接合する。これにより、記録紙が設置される記録紙設置領域を大きくすることができ、径の大きな記録紙５０ａを設置すること可能となる。
【００２５】
また、図３に示されるように、径の小さな記録紙５０ｂを設置する場合には、筐体上部７１におけるネジ穴７１ａと筐体下部７２における下側のネジ穴７２ｂの位置合せをした後、ネジ７３によりネジ止めすることにより、筐体上部７１と筐体下部７２とを接合する。これにより、記録紙が設置される記録紙設置領域を小さくすることができ、径の小さな記録紙５０ｂが設置可能であって、プリンタ装置を小型にすることが可能となる。
【００２６】
以上のように、本実施の形態においては、プリンタ本体部１０における筐体部７０を筐体上部７１と筐体下部７２により形成し、ネジ止めの位置を変えることにより、筐体部７０の大きさを変えることができる。即ち、筐体上部７１と筐体下部７２との接合位置を変えることにより、筐体部７０の大きさを変えることができる。これにより、プリンタ装置の大きさを用いる記録紙に応じて変えることができ、径の小さな記録紙５０ｂを用いた場合には、プリンタ装置を小型にすることができる。
【００２７】
〔第２の実施の形態〕
次に、第２の実施の形態について説明する。本実施の形態は、図５に示されるように、プリンタ本体部１０における筐体部１７０が筐体上部１７１と筐体下部１７２とにより形成されている。筐体上部１７１の上側には不図示のプリンタメカ部が設置されている。また、筐体上部１７１の上側には上側開口部１７１ａが設けられており、下側には下側開口部１７１ｂが設けられている。また、筐体下部１７２には、上側に筐体下部１７２の外側に出っ張っている突起部１７２ａが設けられている。尚、筐体上部１７１及び筐体下部１７２は、樹脂材料または金属材料により形成されている。
【００２８】
図５（ａ）に示されるように、径の大きな記録紙を設置する場合には、筐体上部１７１における下側開口部１７１ｂ内に筐体下部１７２における突起部１７２ａを入れることにより、筐体上部１７１と筐体下部１７２とを接合する。これにより、記録紙が設置される記録紙設置領域を大きくすることができ、径の大きな記録紙を設置することが可能となる。
【００２９】
また、図５（ｂ）に示されるように、径の小さな記録紙を設置する場合には、筐体上部１７１における上側開口部１７１ａ内に筐体下部１７２における突起部１７２ａを入れることにより、筐体上部１７１と筐体下部１７２とを接合する。これにより、記録紙が設置される記録紙設置領域を小さくすることができ、径の小さな記録紙が設置可能であって、プリンタ装置を小型にすることが可能となる。
【００３０】
以上のように、本実施の形態は、プリンタ本体部１０における筐体部１７０を筐体上部１７１と筐体下部１７２により形成し、筐体下部１７２における突起部１７２の嵌合位置を変えることにより、筐体部１７０の大きさを変えることができる。即ち、筐体上部１７１と筐体下部１７２との接合位置を変えることにより、筐体部１７０の大きさを変えることができる。これにより、プリンタ装置の大きさを用いる記録紙に応じて変えることができ、径の小さな記録紙を用いた場合には、プリンタ装置を小型にすることができる。
【００３１】
尚、上記以外の内容については、第１の実施の形態と同様である。
【００３２】
〔第３の実施の形態〕
次に、第３の実施の形態について説明する。本実施の形態は、図６に示されるように、プリンタ本体部１０における筐体部２７０が筐体上部２７１と筐体下部２７２とにより形成されている。筐体上部２７１の上側に不図示のプリンタメカ部が設置されている。また、筐体上部２７１の上側には上側開口部２７１ａが設けられており、下側には下側開口部２７１ｂが設けられている。また、筐体下部２７２には、上側に筐体下部２７２の外側に出っ張っている折曲げ凸部２７２ａが設けられている。折曲げ凸部２７２ａは、板バネの一部であってもよい。尚、筐体上部２７１及び筐体下部２７２は、樹脂材料または金属材料により形成されている。
【００３３】
図６（ａ）に示されるように、径の大きな記録紙を設置する場合には、筐体上部２７１における下側開口部２７１ｂ内に筐体下部２７２における折曲げ凸部２７２ａを入れることにより、筐体上部２７１と筐体下部２７２とを接合する。これにより、記録紙が設置される記録紙設置領域を大きくすることができ、径の大きな記録紙を設置することが可能となる。
【００３４】
また、図６（ｂ）に示されるように、径の小さな記録紙を設置する場合には、筐体上部２７１における上側開口部２７１ａ内に筐体下部２７２における折曲げ凸部２７２ａ入れることにより、筐体上部２７１と筐体下部２７２とを接合する。これにより、記録紙が設置される記録紙設置領域を小さくすることができ、径の小さな記録紙が設置可能であって、プリンタ装置を小型にすることが可能となる。
【００３５】
以上のように、本実施の形態は、プリンタ本体部１０における筐体部２７０を筐体上部２７１と筐体下部２７２により形成し、筐体下部２７２における折曲げ凸部２７２ａが入れられる位置を変えることにより、筐体部２７０の大きさを変えることができる。即ち、筐体上部２７１と筐体下部２７２との接合位置を変えることにより、筐体部２７０の大きさを変えることができる。これにより、プリンタ装置の大きさを用いる記録紙に応じて変えることができ、径の小さな記録紙を用いた場合には、プリンタ装置を小型にすることができる。
【００３６】
尚、上記以外の内容については、第１の実施の形態と同様である。
【００３７】
〔第４の実施の形態〕
次に、第４の実施の形態について説明する。本実施の形態は、図７及び図８に示されるように、プリンタ本体部１０における筐体部３７０が筐体上部３７１と筐体下部３７２とにより形成されている。筐体上部３７１の上側に不図示のプリンタメカ部が設置されている。また、筐体上部３７１の上側には上側凹部３７１ａが設けられており、下側には下側凹部３７１ｂが設けられている。また、筐体下部３７２には、上側に巻バネ３７２ａが設けられており、巻バネ３７２ａの端部には筐体下部３７２の外側に出っ張っている折曲げ部３７２ｂが形成されている。尚、筐体上部３７１及び筐体下部３７２は、樹脂材料または金属材料により形成されている。
【００３８】
図７に示されるように、径の大きな記録紙を設置する場合には、筐体上部３７１における下側凹部３７１ｂに筐体下部３７２における巻バネ３７２ａの端部における折曲げ部３７２ｂを接触させることにより、筐体上部３７１と筐体下部３７２とを接合する。これにより、記録紙が設置される記録紙設置領域を大きくすることができ、径の大きな記録紙を設置することが可能となる。尚、図７（ａ）は、本実施の形態におけるプリンタ装置の要部の正面図であり、図７（ｂ）は側面図である。
【００３９】
また、図８に示されるように、径の小さな記録紙を設置する場合には、筐体上部３７１における上側凹部３７１ａに筐体下部３７２における巻バネ３７２ａの折曲げ部３７２ｂを接触させることにより、筐体上部３７１と筐体下部３７２とを接合する。これにより、記録紙が設置される記録紙設置領域を小さくすることができ、径の小さな記録紙が設置可能であって、プリンタ装置を小型にすることが可能となる。尚、図８（ａ）は、本実施の形態におけるプリンタ装置の要部の正面図であり、図８（ｂ）は側面図である。
【００４０】
以上のように、本実施の形態は、プリンタ本体部１０における筐体部３７０を筐体上部３７１と筐体下部３７２により形成し、筐体下部３７２の巻バネ３７２ａの折曲げ部３７２ｂの接触位置を変えることにより、筐体部３７０の大きさを変えることができる。即ち、筐体上部３７１と筐体下部３７２との接合位置を変えることにより、筐体部３７０の大きさを変えることができる。これにより、プリンタ装置の大きさを用いる記録紙に応じて変えることができ、径の小さな記録紙を用いた場合には、プリンタ装置を小型にすることができる。
【００４１】
尚、上記以外の内容については、第１の実施の形態と同様である。
【００４２】
〔第５の実施の形態〕
次に、第５の実施の形態について説明する。本実施の形態は、図９及び図１０に示されるように、プリンタ本体部１０における筐体部４７０が筐体上部４７１と筐体下部４７２とにより形成されている。筐体上部４７１の上側に不図示のプリンタメカ部が設置されている。また、筐体上部４７１の内側には、上から順に、内側に出っ張っている内側凸部４７１ａ、４７１ｂ、４７１ｃ、４７１ｄが設けられている。筐体下部４７２には、筐体下部４７２の外側に、上から順に、外側に出っ張っている外側凸部４７２ａ、４７２ｂ、４７２ｃ、４７２ｄが設けられている。尚、筐体上部４７１及び筐体下部４７２は、樹脂材料または金属材料により形成されている。
【００４３】
図９に示されるように、径の大きな記録紙を設置する場合には、筐体上部４７１の下側に設けられた内側凸部４７１ｄを筐体下部４７２の上側に設けられた外側凸部４７２ａの上に置き接触させることにより、筐体上部４７１と筐体下部４７２とを接合する。これにより、記録紙が設置される記録紙設置領域を大きくすることができ、径の大きな記録紙を設置することが可能となる。尚、図９（ａ）は、本実施の形態におけるプリンタ装置の要部の正面図であり、図９（ｂ）は側面図である。
【００４４】
また、図１０に示されるように、径の小さな記録紙を設置する場合には、筐体上部４７１の上側に設けられた内側凸部４７１ａを筐体下部４７２の上側に設けられた外側凸部４７２ａの上に置き接触させることにより、筐体上部４７１と筐体下部４７２とを接合する。この際、筐体上部４７１に設けられた内側凸部４７１ｂを筐体下部４７２に設けられた外側凸部４７２ｂの上に置いてもよい。また、筐体上部４７１に設けられた内側凸部４７１ｃを筐体下部４７２に設けられた外側凸部４７２ｃの上に置いてもよい。また、筐体上部４７１に設けられた内側凸部４７１ｄを筐体下部４７２に設けられた外側凸部４７２ｄの上に置いてもよい。これにより、記録紙が設置される記録紙設置領域を小さくすることができ、径の小さな記録紙が設置可能であって、プリンタ装置を小型にすることが可能となる。尚、図１０（ａ）は、本実施の形態におけるプリンタ装置の要部の正面図であり、図１０（ｂ）は側面図である。
【００４５】
以上のように、本実施の形態は、プリンタ本体部１０における筐体部４７０を筐体上部４７１と筐体下部４７２により形成し、筐体下部４７２における内側凸部が置かれる位置を変えることにより、筐体部４７０の大きさを変えることができる。即ち、筐体上部４７１と筐体下部４７２との接合位置を変えることにより、筐体部４７０の大きさを変えることができる。これにより、プリンタ装置の大きさを用いる記録紙に応じて変えることができ、径の小さな記録紙を用いた場合には、プリンタ装置を小型にすることができる。
【００４６】
本実施の形態は、筐体上部４７１には、複数の内側凸部４７１ａ、４７１ｂ、４７１ｃ、４７１ｄを設け、筐体下部４７２には、上側に外側凸部４７２ａのみを設けた構造のものであってもよい。筐体上部４７１には、下側に内側凸部４７１ａのみを設け、筐体下部４７２には、複数の外側凸部４７２ａ、４７２ｂ、４７２ｃ、４７２ｄを設けた構造のものであってもよい。
【００４７】
尚、上記以外の内容については、第１の実施の形態と同様である。
【００４８】
以上、本発明の実施に係る形態について説明したが、上記内容は、発明の内容を限定するものではない。
【符号の説明】
【００４９】
１０        プリンタ本体部
１１        制御基板
１２        搬送用モータ
１３        カッター駆動用モータ
１４        レバー
２０        蓋部
２１        軸
３０        サーマルヘッド
４０        プラテンローラ
５０        記録紙
６０        プリンタメカ部
７０        筐体部
７１        筐体上部
７１ａ      ネジ穴
７２        筐体下部
７２ａ      上側のネジ穴
７２ｂ      上側のネジ穴
７３        ネジ
【図１】
2015077746.tif 000003
【図２】
2015077746.tif 000004
【図３】
2015077746.tif 000005
【図４】
2015077746.tif 000006
【図５】
2015077746.tif 000007
【図６】
2015077746.tif 000008
【図７】
2015077746.tif 000009
【図８】
2015077746.tif 000010
【図９】
2015077746.tif 000011
【図１０】
2015077746.tif 000012